(57)【要約】【課題】静電気放電による配線破壊が減少し、歩留まりが向上し、表示パネルの信頼性を向上することができる電子回路配線およびそれを備えた表示装置を提供する。【解決手段】有効表示領域１２を静電気から保護するために、有効表示領域１２を囲むにように配線され、一部が他の配線と絶縁膜を介してクロスするクロスオーバ領域１５を含むように配線された電子回路配線１３と、を有し、電子回路配線１３は、始点端子Ａ１１と、クロスオーバ領域１５を介して始点端子Ａ１１側に配置された終点端子Ｂ１１と、抵抗素子Ｒ１１と、を含み、抵抗素子Ｒ１１が、クロスオーバ領域１５に対して始点端子Ａ１１側に接続されている。【選択図】        図１
2005157199.tif 000002
【特許請求の範囲】
【請求項１】
基板に形成された主回路を静電気から保護するために、当該主回路を囲むにように配線され、一部が他の配線と絶縁膜を介してクロスするクロス領域を含むように配線された電子回路配線であって、
始点端子と、
上記クロス領域を介して上記始点端子側に配置された終点端子と、
抵抗素子と、を有し、
上記抵抗素子が、上記クロス領域に対して上記始点端子側に接続されている
電子回路配線。
【請求項２】
上記終点端子は、上記始点端子に対して放電効果のある端子である
請求項１記載の電子回路配線。
【請求項３】
上記終点端子は、所定電位の電源線に接続されている
請求項２記載の電子回路配線。
【請求項４】
上記終点端子は、接地されている
請求項３記載の電子回路配線。
【請求項５】
基板に形成された有効表示領域と、
上記有効表示領域を静電気から保護するために、上記有効表示領域を囲むにように配線され、一部が他の配線と絶縁膜を介してクロスするクロス領域を含むように配線された電子回路配線と、を有し、
上記電子回路配線は、
始点端子と、
上記クロス領域を介して上記始点端子側に配置された終点端子と、
抵抗素子と、を含み、
上記抵抗素子が、上記クロス領域に対して上記始点端子側に接続されている
表示装置。
【請求項６】
上記終点端子は、上記始点端子に対して放電効果のある端子である
請求項５記載の表示装置。
【請求項７】
上記終点端子は、所定電位の電源線に接続されている
請求項６記載の表示装置。
【請求項８】
上記終点端子は、接地されている
請求項７記載の表示装置。
【発明の詳細な説明】
【技術分野】
【０００１】
本発明は、静電気放電などから回路を保護する目的で、基板周辺の縁に内部の主回路を囲むように一箇所が開いた構造を持つ電子回路配線およびそれを備えた液晶表示装置パネル等の表示装置に関するものである。
【背景技術】
【０００２】
静電気放電などから回路を保護する構成を有する液晶表示パネルなどの表示装置が知られている（たとえば、特許文献１、特許文献２参照）。
【０００３】
たとえば、液晶表示パネルなどの表示パネルにおいて、静電気放電によるノイズ混入、誤動作、破壊などを保護する目的で、基板周辺の縁に内部の回路を囲むように一箇所が開いた構造を持つ、金属による開曲電子回路配線領域を設けている。
【０００４】
図４は、開曲電子回路配線部を配置した従来の表示パネルを模式的に示す図である。
表示パネル１は、図４に示すように、中央部に矩形の有効表示（画素）領域２が形成され、この有効表示領域２の周縁部に開曲電子回路配線３が配線されている。
この開曲電子回路配線３には始点端子Ａ１と終点端子Ｂ１があり、終点端子Ｂ１は始点端子Ａ１に比べて放電効果のある電源端子またはグランド端子とする。
【０００５】
これらの始点端子Ａ１および終点端子Ｂ１は、表示パネル１の図中左側縁部１ａに設置されたフレキシブルコネクタ端子部４に接続される。
開曲電子回路配線３の経路には、高抵抗素子Ｒ１が接続されており、かつ絶縁膜を介して複数の配線６をクロスオーバする領域５が設けられている。
このクロスオーバ領域５においては、たとえば開曲電子回路配線３の下部側に絶縁膜等を介して有効表示領域２の画素駆動配線等がレイアウトされる。
【０００６】
そして、従来の表示パネル１において、開曲電子回路配線３は、［始点端子Ａ１→クロスオーバ領域５→高抵抗素子Ｒ１→終点端子Ｂ１］の順で配置されていた。
【特許文献１】特開２０００−１９５５６号公報
【特許文献２】特許公報  第２９６５６８７号公報
【発明の開示】
【発明が解決しようとする課題】
【０００７】
上述したように、従来の表示パネル１では、開曲電子回路配線３は、［始点端子Ａ１→クロスオーバ領域５→高抵抗素子Ｒ１→終点端子Ｂ１］の順で配置されていることから、抵抗素子Ｒ１の手前で電荷が溜まり、クロスオーバ領域５の容量部に印加される電圧が必要以上に大きくなり、絶縁薄膜の耐圧を超え、絶縁破壊を起こして上下の配線がショートしてしまう不良が発生し、パネル製造の歩留まりと信頼性が低下するという問題が生じていた。
【０００８】
静電気放電が発生した場合、極めて短時間ではあるが、瞬間的に３０アンペア程度の大きなサージ電流が、［始点端子Ａ１→クロスオーバ領域５→高抵抗素子Ｒ１→終点端子Ｂ１］の順で開曲電子回路配線３を流れることがある。
この場合、高抵抗素子Ｒ１の手前で電荷が溜まる傾向があり、その場所の電圧値が瞬間的に高くなる。
そのため、クロスオーバ領域５の上下配線間の電圧が上昇し、絶縁膜の耐圧を越え、ついには絶縁破壊を起こし、配線が断線してしまう。
【０００９】
この問題について、図解してさらに詳細に説明する。
【００１０】
図５（Ａ），（Ｂ）は、図４の表示パネル１におけるレイアウトパターンを単純化して示した図である。図５（Ａ）はその主要部分で、図５（Ｂ）はその等価回路である。
なお、図５（Ｂ）の等価回路において、抵抗と直列に挿入された容量ＰＣは静電放電の高電流注入時に発生する動的な寄生容量である。
【００１１】
今、始点端子Ａ１より静電気放電によるサージ電流が終点端子Ｂ１に向かって開曲電子回路配線３を流れると、サージ電流ＩＳに含まれる周波数の高い電流成分は、クロスオーバ領域５に形成されている寄生容量ＰＣを通して接地ＧＮＤに流れる。
一方、周波数のそれほど高くないエネルギーの大きな成分は、そのエネルギーを殆ど消費することなく、抵抗素子Ｒ１の直前まで流れ、その場所の電位を上昇させる。
その結果、クロスオーバ領域５に形成されている容量ＰＣが耐圧を越え、上下配線間の絶縁膜が絶縁破壊を引き起こし、上下配線のショートに至る。
【００１２】
また、特許文献１および２においては、クロスオーバ領域５の上下配線間の電圧が上昇し、絶縁膜の耐圧を越え、ついには絶縁破壊を起こし、配線が断線してしまうという不利益については、なんら考慮されていない。
【００１３】
本発明の目的は、静電気放電による配線破壊が減少し、歩留まりが向上し、表示パネルの信頼性を向上させることができる電子回路配線およびそれを備えた表示装置を提供することにある。
【課題を解決するための手段】
【００１４】
上記目的を達成するため、本発明の第１の観点は、基板に形成された主回路を静電気から保護するために、当該主回路を囲むにように配線され、一部が他の配線と絶縁膜を介してクロスするクロス領域を含むように配線された電子回路配線であって、始点端子と、上記クロス領域を介して上記始点端子側に配置された終点端子と、抵抗素子と、を有し、上記抵抗素子が、上記クロス領域に対して上記始点端子側に接続されている。
【００１５】
本発明の第２の観点は、基板に形成された有効表示領域と、上記有効表示領域を静電気から保護するために、上記有効表示領域を囲むにように配線され、一部が他の配線と絶縁膜を介してクロスするクロス領域を含むように配線された電子回路配線と、を有し、上記電子回路配線は、始点端子と、上記クロス領域を介して上記始点端子側に配置された終点端子と、抵抗素子と、を含み、上記抵抗素子が、上記クロス領域に対して上記始点端子側に接続されている。
【００１６】
好適には、上記終点端子は、上記始点端子に対して放電効果のある端子である。
好適には、上記終点端子は、所定電位の電源線に接続されている。
好適には、上記終点端子は、接地されている。
【００１７】
本発明によれば、たとえば始点端子より静電気放電によるサージ電流が終点端子に向かって電気回路配線を流れようとする。
このとき、抵抗素子の直前で電位が上昇する現象が発生するが、電流として抵抗素子を通過する際に大きな電位降下を生じ、その結果、クロスオーバ領域の電位はあまり上昇しない。
言い換えると、サージ電流のエネルギーのかなりの部分が抵抗素子でまず消費されるため、クロスオーバ領域には大きなエネルギーが到達しない。
したがって、クロスオーバ領域での絶縁破壊による上下配線間のショート不良が起きにくい。
【発明の効果】
【００１８】
本発明によれば、静電気放電による配線破壊が減少し、歩留まりが向上し、信頼性が向上するという利点がある。
【発明を実施するための最良の形態】
【００１９】
以下、本発明の実施の形態を図面に関連付けて説明する。
【００２０】
図１は、開曲電子回路配線部を配置した本発明の係るパネル型表示装置を模式的に示す図である。
【００２１】
本実施形態に係るパネル型表示装置１０は、表示パネル１１、主回路としての有効表示（画素）領域１２、開曲電子回路配線１３、フレキシブルコネクタ端子部１４、クロスオーバ領域１５、クロス配線１６、および高抵抗素子Ｒ１１を、主構成要素として有している。
【００２２】
本実施形態に係るパネル型表示装置１０において、表示パネル１１は、図１に示すように、中央部に矩形の有効表示（画素）領域１２が形成され、この有効表示領域１２の周縁部に金属、たとえばアルミニウムからなる開曲電子回路配線１３が配線されている。
【００２３】
有効表示領域１２は、画素セル（たとえば液晶セル）および薄膜トランジスタ（ＴＦＴ）を含む画素領域がマトリクス状に配置され、各ＴＦＴに走査信号を供給する複数の走査線とＴＦＴを介して画素セルに表示信号を供給するための複数の信号線とが互いに直交するように配置されている。
すなわち、本実施形態に係るパネル型表示装置１０は、アクティブマトリクス型液晶表示装置として構成される。
【００２４】
この開曲電子回路配線１３には始点端子Ａ１１と終点端子Ｂ１１があり、終点端子Ｂ１１は始点端子Ａ１１に比べて放電効果のある電源端子またはグランド端子としている。
これらの始点端子Ａ１１，終点端子Ｂ１１は、表示パネル１１の図中左側縁部１１ａに設置されたフレキシブルコネクタ端子部１４に接続される。
開曲電子回路配線１３の経路には、高抵抗素子Ｒ１１（たとえば抵抗値が１Ｍオーム）が接続されており、かつ絶縁膜を介して複数の配線１６がクロスオーバ（クロスアンダー）するクロス領域（本実施形態ではクロスオーバ領域１５として説明する）が設けられている。
このクロスオーバ領域１５においては、たとえば開曲電子回路配線１３の下部側に絶縁膜等を介して有効表示領域１２の画素駆動配線等がレイアウトされる。
【００２５】
図２は、本実施形態に係るクロスオーバ領域１５の簡略断面図である。
クロスオーバ領域１５は、図２に示すように、絶縁基板１５１上に有効表示領域１２の画素駆動配線等のクロス配線１６が形成され、クロス配線１６を覆うように、クロス配線１６および絶縁基板１５１上に絶縁膜１５２に形成されている。
絶縁膜１５２および絶縁基板１５１上にストッパ膜１５３を含む層間絶縁膜１５４が形成されている。
そして、層間絶縁膜１５４上に、一部が絶縁膜１５２、層間絶縁膜１５４を介してクロス配線１６とオーバラップするように開曲電子回路配線１３が形成されている。
【００２６】
そして、本実施形態に係るパネル型表示装置１０において、開曲電子回路配線１３は、［始点端子Ａ１１→高抵抗素子Ｒ１１→クロスオーバ領域１５→終点端子Ｂ１１］の順で配置されている。
【００２７】
すなわち、本実施形態においては、抵抗素子Ｒ１１を、クロスオーバ領域１５に対して、始点端子Ａ１１側に配置している。
換言すれば、開曲電気回路配線１３の始点端子Ａ１１と終点端子Ｂ１１の間にある抵抗素子Ｒ１５とクロスオーバ領域１５の配置位置に関し、始点端子Ａ１１に近い方に抵抗素子Ｒ１１を配置し、次にクロスオーバ領域１５がくるように配慮されている。
この場合、静電気放電によるサージ電流ＩＳ１１は［始点Ａ１１→高抵抗素子Ｒ１１→クロスオーバ領域１５→終点Ｂ１１］の順で開曲電子回路配線１３を流れる。
この場合、抵抗素子Ｒ１１の手前で電荷が溜まり、そこでの電圧が瞬間的に高くなるが、クロスオーバ領域１５の配線間電圧の上昇は少なく、絶縁破壊による断線不良は起こりにくい。
【００２８】
以下、絶縁破壊による断線不良は起こりにくい理由について、図解してさらに詳細に説明する。
【００２９】
図３（Ａ），（Ｂ）は、図１の表示パネル１１におけるレイアウトパターンを単純化して示した図である。図３（Ａ）はその主要部分で、図３（Ｂ）はその等価回路である。
なお、図３（Ｂ）の等価回路において、抵抗と直列に挿入された容量ＰＣ１１は静電放電の高電流注入時に発生する動的な寄生容量である。
【００３０】
今、図３（Ａ），（Ｂ）に示すように、始点端子Ａ１１より静電気放電によるサージ電流ＩＳ１１が終点端子Ｂ１１に向かって開曲電気回路配線１３を流れようとする。
このとき、抵抗素子Ｒ１１の直前で電位が上昇する現象が発生するが、電流として抵抗素子Ｒ１１を通過する際に大きな電位降下を生じ、その結果、クロスオーバ領域１５の電位はあまり上昇しない。
言い換えると、サージ電流ＩＳ１１のエネルギーのかなりの部分が抵抗素子Ｒ１１でまず消費されるため、クロスオーバ領域１５には大きなエネルギーが到達しない。
したがって、図４の配置のようなクロスオーバ領域５での絶縁破壊による上下配線間のショート不良が起きにくい。
【００３１】
以上説明したように、本実施形態によれば、基板に形成された有効表示領域１２と、有効表示領域１２を静電気から保護するために、有効表示領域１２を囲むにように配線され、一部が他の配線と絶縁膜を介してクロスするクロス領域を含むように配線された電子回路配線１３と、を有し、電子回路配線１３は、始点端子Ａ１１と、クロス領域を介して始点端子Ａ１１側に配置された終点端子Ｂ１１と、抵抗素子Ｒ１１と、を含み、抵抗素子Ｒ１１が、クロス領域に対して始点端子Ａ１１側に接続されていることから、クロス領域での絶縁破壊による上下配線間のショート不良が起きにくい。
したがって、静電気放電による配線破壊が減少し、歩留まりが向上し、表示パネルの信頼性が向上するという利点がある。
【００３２】
なお、本実施形態は、液晶表示パネルを例に説明したが、本発明は、他のパネル型表示装置、たとえば有機エレクトロルミネッセンス（有機ＥＬ）表示装置等にも適用することが可能である。
【図面の簡単な説明】
【００３３】
【図１】開曲電子回路配線部を配置した本発明の係るパネル型表示装置を模式的に示す図である。
【図２】本実施形態に係るクロスオーバ領域の簡略断面図である。
【図３】図１の表示パネルにおけるレイアウトパターンを単純化して示した図であって、（Ａ）はその主要部分を示す図で、（Ｂ）はその等価回路図である。
【図４】開曲電子回路配線部を配置した従来のパネル型表示装置を模式的に示す図である。
【図５】図４の表示パネルにおけるレイアウトパターンを単純化して示した図であって、（Ａ）はその主要部分を示す図で、（Ｂ）はその等価回路図である。
【符号の説明】
【００３４】
１０…パネル型表示装置、１１…表示パネル、１２…有効表示（画素）領域、１３…開曲電子回路配線、１４…フレキシブルコネクタ端子部、１５…クロスオーバ領域、１６…クロス配線、Ｒ１１…高抵抗素子。
【図１】
2005157199.tif 000003
【図２】
2005157199.tif 000004
【図３】
2005157199.tif 000005
【図４】
2005157199.tif 000006
【図５】
2005157199.tif 000007